【手続補正書】
【提出日】平成29年1月20日(2017.1.20)
【手続補正１】
【補正対象書類名】明細書
【補正対象項目名】０００３
【補正方法】変更
【補正の内容】
【０００３】
ビスフェノールＡのジグリシジルエーテルから得られるエポキシ樹脂の１つの重要な用途は、様々な産業用および消費者用の電気製品および電気部品において使用される硬質または可撓性の回路基板としてのガラス繊維強化積層品にある。これらの材料は、安全性の要求を満たすために耐火性でなければならない。これらの材料を耐火性にする方法では、様々な添加剤、例えば臭素化化合物、リン含有化合物、アルミニウム誘導体、メラミンシアヌレート、ホスフィン酸金属塩およびそれらの組み合わせを使用してきた。より一般的に用いられるハロゲン化難燃剤の一部は、それらが環境に浸出し有毒であるため、環境を考慮して使用が禁止されている。ポリマー用の大部分の添加剤のように、他の難燃剤には同じ課題があり、ハロゲン化系のような注目を引かなかっただけで、多くの難燃剤は毒性があり、それらは全てホスト樹脂から浸出しやすい。したがって、エポキシ派生の樹脂を実際的で費用効果的で環境にやさしい方法で難燃性にする必要がある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  特開２００２−１９４３１３号公報
（特許文献２）  米国特許第４，０３５，４３６号明細書
（特許文献３）  米国特許第４，７２２，９８３号明細書
（特許文献４）  米国特許第４，８２９，１３４号明細書
（特許文献５）  中国特許出願公開第１８１０８１３号明細書
（特許文献６）  国際公開第０３／０２９２５８号
（特許文献７）  米国特許第２，２７１，６１０号明細書
（特許文献８）  米国特許第２，４３５，２５２号明細書
（特許文献９）  米国特許第２，５３４，２４２号明細書
（特許文献１０）  米国特許第２，５３４，２５２号明細書
（特許文献１１）  米国特許第２，６８２，５２２号明細書
（特許文献１２）  米国特許第２，７１６，１０１号明細書
（特許文献１３）  米国特許第２，８９１，９１５号明細書
（特許文献１４）  米国特許第２，９２５，２０６号明細書
（特許文献１５）  米国特許第２，９２５，２０８号明細書
（特許文献１６）  米国特許第３，１５３，００８号明細書
（特許文献１７）  米国特許第３，２７１，３２９号明細書
（特許文献１８）  米国特許第３，３２６，８５２号明細書
（特許文献１９）  米国特許第３，４４２，８５４号明細書
（特許文献２０）  米国特許第３，４５０，６７７号明細書
（特許文献２１）  米国特許第３，７１９，７２７号明細書
（特許文献２２）  米国特許第３，８２９，４０５号明細書
（特許文献２３）  米国特許第３，８３０，７７１号明細書
（特許文献２４）  米国特許第３，９００，４４４号明細書
（特許文献２５）  米国特許第３，９１９，３６３号明細書
（特許文献２６）  米国特許第３，９２５，３０３号明細書
（特許文献２７）  米国特許第３，９３２，３５１号明細書
（特許文献２８）  米国特許第３，９３２，５６６号明細書
（特許文献２９）  米国特許第３，９４０，３６６号明細書
（特許文献３０）  米国特許第３，９４５，９５４号明細書
（特許文献３１）  米国特許第３，９４６，０９３号明細書
（特許文献３２）  米国特許第３，９４８，８６０号明細書
（特許文献３３）  米国特許第３，９５２，０７２号明細書
（特許文献３４）  米国特許第４，０３３，９２７号明細書
（特許文献３５）  米国特許第４，０３６，８１１号明細書
（特許文献３６）  米国特許第４，０３９，５１２号明細書
（特許文献３７）  米国特許第４，０４６，７２４号明細書
（特許文献３８）  米国特許第４，０４８，１０６号明細書
（特許文献３９）  米国特許第４，０６４，１０７号明細書
（特許文献４０）  米国特許第４，０７８，０１６号明細書
（特許文献４１）  米国特許第４，０９３，５８２号明細書
（特許文献４２）  米国特許第４，１５２，３７３号明細書
（特許文献４３）  米国特許第４，１８０，４９５号明細書
（特許文献４４）  米国特許第４，１９６，１１９号明細書
（特許文献４５）  米国特許第４，２０７，７２１号明細書
（特許文献４６）  米国特許第４，２２３，１０４号明細書
（特許文献４７）  米国特許第４，２０５，１６２号明細書
（特許文献４８）  米国特許第４，２２９，５５２号明細書
（特許文献４９）  米国特許第４，２５４，１７７号明細書
（特許文献５０）  米国特許第４，２５８，１５３号明細書
（特許文献５１）  米国特許第４，３２２，５２０号明細書
（特許文献５２）  米国特許第４，３２２，５３０号明細書
（特許文献５３）  米国特許第４，３２８，１７４号明細書
（特許文献５４）  米国特許第４，３３１，６１４号明細書
（特許文献５５）  米国特許第４，３３２，９２１号明細書
（特許文献５６）  米国特許第４，３５０，７９３号明細書
（特許文献５７）  米国特許第４，３７４，９７１号明細書
（特許文献５８）  米国特許第４，３７７，５３７号明細書
（特許文献５９）  米国特許第４，４０１，８０２号明細書
（特許文献６０）  米国特許第４，４０３，０７５号明細書
（特許文献６１）  米国特許第４，４０８，０３３号明細書
（特許文献６２）  米国特許第４，４１２，０５５号明細書
（特許文献６３）  米国特許第４，４１５，７１９号明細書
（特許文献６４）  米国特許第４，４３０，４９２号明細書
（特許文献６５）  米国特許第４，４８１，３５０号明細書
（特許文献６６）  米国特許第４，４７４，９３７号明細書
（特許文献６７）  米国特許第４，５０８，８９０号明細書
（特許文献６８）  米国特許第４，５６４，４６８号明細書
（特許文献６９）  米国特許第４，５８０，１１０号明細書
（特許文献７０）  米国特許第４，５９４，４０４号明細書
（特許文献７１）  米国特許第４，６３６，７３７号明細書
（特許文献７２）  米国特許第４，６６８，７２０号明細書
（特許文献７３）  米国特許第４，６９０，９５４号明細書
（特許文献７４）  米国特許第４，６９０，９６４号明細書
（特許文献７５）  米国特許第４，７０１，５５４号明細書
（特許文献７６）  米国特許第４，７１９，２７９号明細書
（特許文献７７）  米国特許第４，７６２，９０５号明細書
（特許文献７８）  米国特許第４，７８２，１２３号明細書
（特許文献７９）  米国特許第４，７８８，２５９号明細書
（特許文献８０）  米国特許第４，９７０，４２９号明細書
（特許文献８１）  米国特許第５，００３，０２９号明細書
（特許文献８２）  米国特許第５，０３４，０５６号明細書
（特許文献８３）  米国特許第５，０３９，７７５号明細書
（特許文献８４）  米国特許第５，０８６，１５３号明細書
（特許文献８５）  米国特許第５，２０２，４３８号明細書
（特許文献８６）  米国特許第５，２１６，１１３号明細書
（特許文献８７）  米国特許第５，２５６，７１４号明細書
（特許文献８８）  米国特許第５，３１９，０５８号明細書
（特許文献８９）  米国特許第５，３２６，８０５号明細書
（特許文献９０）  米国特許第５，３２６，８５０号明細書
（特許文献９１）  米国特許第５，３３４，６９２号明細書
（特許文献９２）  米国特許第５，３３４，６９４号明細書
（特許文献９３）  米国特許第５，３４０，９０５号明細書
（特許文献９４）  米国特許第５，３６２，７８３号明細書
（特許文献９５）  米国特許第５，３７３，０８２号明細書
（特許文献９６）  米国特許第５，３９３，６２１号明細書
（特許文献９７）  米国特許第５，４０９，９７６号明細書
（特許文献９８）  米国特許第５，５２５，６８１号明細書
（特許文献９９）  米国特許第５，６３９，８００号明細書
（特許文献１００）  米国特許第５，６５２，２７５号明細書
（特許文献１０１）  米国特許第５，７１９，２００号明細書
（特許文献１０２）  米国特許第５，７８０，５３４号明細書
（特許文献１０３）  米国特許第５，８３７，７６０号明細書
（特許文献１０４）  米国特許第５，９１９，８４４号明細書
（特許文献１０５）  米国特許第５，９２２，８２６号明細書
（特許文献１０６）  米国特許第６，０１３，７０７号明細書
（特許文献１０７）  米国特許第６，０６６，７００号明細書
（特許文献１０８）  米国特許第６，１２８，２１４号明細書
（特許文献１０９）  米国特許第６，１５３，２１２号明細書
（特許文献１１０）  米国特許第６，２０７，７３６号明細書
（特許文献１１１）  米国特許第６，２２１，９３９号明細書
（特許文献１１２）  米国特許第６，２５６，７６７号明細書
（特許文献１１３）  米国特許第６，２５５，３７１号明細書
（特許文献１１４）  米国特許第６，２８８，２１０号明細書
（特許文献１１５）  米国特許第６，２９１，７００号明細書
（特許文献１１６）  米国特許第６，２９１，６３０号明細書
（特許文献１１７）  米国特許第６，３１４，０１９号明細書
（特許文献１１８）  米国特許第６，３４６，５７４号明細書
（特許文献１１９）  米国特許第６，３６５，０７１号明細書
（特許文献１２０）  米国特許出願公開第２００２／００４０９７８号明細書
（特許文献１２１）  米国特許第６，４１９，７０９号明細書
（特許文献１２２）  米国特許出願公開第２００２／０１１５７９３号明細書
（特許文献１２３）  米国特許出願公開第２００２／０１３７８７４号明細書
（特許文献１２４）  米国特許出願公開第２００２／０１５６１６０号明細書
（特許文献１２５）  米国特許出願公開第２００２／０１７７６４９号明細書
（特許文献１２６）  米国特許第６，５０９，４０１号明細書
（特許文献１２７）  米国特許第６，５１８，３４７号明細書
（特許文献１２８）  米国特許出願公開第２００３／０１３３６７９号明細書
（特許文献１２９）  米国特許出願公開第２００３／０１４９１４５号明細書
（特許文献１３０）  米国特許第６，６４２，２８８号明細書
（特許文献１３１）  米国特許出願公開第２００４／０１３７２２７号明細書
（特許文献１３２）  米国特許出願公開第２００４／０１６７２８４号明細書
（特許文献１３３）  米国特許出願公開第２００４／０１９７３０１号明細書
（特許文献１３４）  米国特許出願公開第２００５／００２０８００号明細書
（特許文献１３５）  米国特許第６，８６１，４９９号明細書
（特許文献１３６）  米国特許第６，８７２，７９７号明細書
（特許文献１３７）  米国特許出願公開第２００５／０１３７３００号明細書
（特許文献１３８）  米国特許出願公開第２００５／０２２２３７０号明細書
（特許文献１３９）  米国特許出願公開第２００５／０２４５６４７号明細書
（特許文献１４０）  米国特許出願公開第２００６／００２００６４号明細書
（特許文献１４１）  米国特許出願公開第２００６／００２０１０４号明細書
（特許文献１４２）  米国特許出願公開第２００６／００７９６１２号明細書
（特許文献１４３）  米国特許出願公開第２００６／０１４２４２７号明細書
（特許文献１４４）  米国特許出願公開第２００６／０２８７４１８号明細書
（特許文献１４５）  米国特許第７，１５３，９０１号明細書
（特許文献１４６）  米国特許出願公開第２００７／００３２６３３号明細書
（特許文献１４７）  米国特許出願公開第２００７／０１２９５１１号明細書
（特許文献１４８）  米国特許出願公開第２００７／０１４９６６３号明細書
（特許文献１４９）  米国特許出願公開第２００７／０２０３２６９号明細書
（特許文献１５０）  米国特許出願公開第２００７／０２０３２７５号明細書
（特許文献１５１）  米国特許出願公開第２００７／０２１９２９５号明細書
（特許文献１５２）  米国特許出願公開第２００８／００４５６７３号明細書
（特許文献１５３）  米国特許出願公開第２００８／０１１４１２７号明細書
（特許文献１５４）  米国特許第７，４４９，５２６号明細書
（特許文献１５５）  米国特許出願公開第２００９／００３２７７０号明細書
（特許文献１５６）  米国特許出願公開第２００９／００４３０１３号明細書
（特許文献１５７）  米国特許出願公開第２００９／０１４９５８２号明細書
（特許文献１５８）  米国特許出願公開第２００９／０３０６２３６号明細書
（特許文献１５９）  米国特許出願公開第２００９／０３２６１０８号明細書
（特許文献１６０）  米国特許第７，６４５，８５０号明細書
（特許文献１６１）  米国特許第７，６６６，９３２号明細書
（特許文献１６２）  米国特許出願公開第２０１０／００５６６６０号明細書
（特許文献１６３）  米国特許出願公開第２０１０／０１３０７０３号明細書
（特許文献１６４）  米国特許出願公開第２０１０／０２０４３５４号明細書
（特許文献１６５）  米国特許第７，８１６，４８６号明細書
（特許文献１６６）  米国特許第７，８３８，６０４号明細書
（特許文献１６７）  米国特許出願公開第２０１０／０２９８４７５号明細書
（特許文献１６８）  米国特許第７，８６２，７４９号明細書
（特許文献１６９）  米国特許出願公開第２０１１／００２１６７６号明細書
（特許文献１７０）  米国特許第７，８８８，５３４号明細書
（特許文献１７１）  米国特許出願公開第２０１１／００３９９８７号明細書
（特許文献１７２）  米国特許第７，８９３，１４３号明細書
（特許文献１７３）  米国特許第７，９２８，２５９号明細書
（特許文献１７４）  米国特許出願公開第２０１１／０２３７６９５号明細書
（特許文献１７５）  米国特許出願公開第２０１１／０２６３７４５号明細書
（特許文献１７６）  米国特許第８，０９３，３２０号明細書
（特許文献１７７）  米国特許出願公開第２０１２／０１２１８４３号明細書
（特許文献１７８）  米国特許出願公開第２０１２／０１７２５００号明細書
（特許文献１７９）  米国特許出願公開第２０１２／０２６４８４４号明細書
（特許文献１８０）  米国特許第８，３８９，６６４号明細書
（特許文献１８１）  米国特許第８，５３０，０４４号明細書
（特許文献１８２）  米国特許第８，５６３，６３８号明細書
（特許文献１８３）  米国特許出願公開第２０１４／００００７５１号明細書
（特許文献１８４）  米国特許第８，７７９，０４１号明細書
（特許文献１８５）  独国特許出願公開第２２５２２５８号明細書
（特許文献１８６）  独国特許出願公開第２４４７７２７号明細書
（特許文献１８７）  特開昭５１−１１１８６９号公報
（特許文献１８８）  韓国特許第１０−１９８０−００００９３号公報
（特許文献１８９）  独国特許出願公開第２９０９４４２号明細書
（特許文献１９０）  独国特許出願公開第２９２５２０６号明細書
（特許文献１９１）  独国特許出願公開第２９２５２０８号明細書
（特許文献１９２）  欧州特許出願公開第０１７１７３０号明細書
（特許文献１９３）  英国特許出願公開第２０４３０８３号明細書
（特許文献１９４）  特開昭６０−１６１９９３号公報
（特許文献１９５）  特開昭６１−１３４３９５号公報
（特許文献１９６）  欧州特許第００７７４９３号明細書
（特許文献１９７）  欧州特許出願公開第０３８３９７８号明細書
（特許文献１９８）  特開平０３−２８１６５２号公報
（特許文献１９９）  欧州特許出願公開第０５８４５６７号明細書
（特許文献２００）  欧州特許出願公開第０６９９７０８号明細書
（特許文献２０１）  特開平０９−２５５８７７号公報
（特許文献２０２）  国際公開第９７／３９０５３号
（特許文献２０３）  国際公開第９７／４２２６４号
（特許文献２０４）  特開平１０−００７７６６号公報
（特許文献２０５）  独国特許出願公開第１９７３４４３７号明細書
（特許文献２０６）  独国特許出願公開第１９７３７７２７号明細書
（特許文献２０７）  国際公開第９９／４６３１５号
（特許文献２０８）  欧州特許出願公開第０９６２５２１号明細書
（特許文献２０９）  欧州特許出願公開第１０２６１９１号明細書
（特許文献２１０）  特開２０００−３１９３５６号公報
（特許文献２１１）  特開２００１−００２９３１号公報
（特許文献２１２）  特開２００１−０１９７４６号公報
（特許文献２１３）  特開２００１−１３９８２３号公報
（特許文献２１４）  特開２００２−３６３２５９号公報
（特許文献２１５）  国際公開第０３／０２９２５８号
（特許文献２１６）  独国特許出願公開第１０３１７４８７号明細書
（特許文献２１７）  特開２００４−０４４０２２号公報
（特許文献２１８）  特開２００４−０５２１３１号公報
（特許文献２１９）  国際公開第２００４／０７６５３６号
（特許文献２２０）  国際公開第２００４／０７６５３７号
（特許文献２２１）  国際公開第２００４／１１３４１１号
（特許文献２２２）  国際公開第２００６／０２６６１６号
（特許文献２２３）  中国特許出願公開第１７７７６３２号明細書  
（特許文献２２４）  特表２００７−５０２９０４号公報
（特許文献２２５）  国際公開第２００７／０２２００８号
（特許文献２２６）  国際公開第２００７／０６５０９４号
（特許文献２２７）  国際公開第２００８／０１１９４１号
（特許文献２２８）  欧州特許出願公開第１９３５９４４号明細書
（特許文献２２９）  国際公開第２００９／０１８３３６号
（特許文献２３０）  国際公開第２００９／０１２２８６号
（特許文献２３１）  国際公開第２０１０／０４８１２１号
（特許文献２３２）  特表２０１０−５３３７７７号公報
（特許文献２３３）  中国特許出願公開第１０３０５９２６４号明細書
（非特許文献）
（非特許文献１）  Ｓｕｎ  ｅｔ  ａｌ．，"Ｓｙｎｔｈｅｓｉｓ  ａｎｄ  ｐｒｏｐｅｒｔｉｅｓ  ｏｆ  ａ  ｐｈｏｓｐｈｏｒｕｓ−ｃｏｎｔａｉｎｉｎｇ  ｆｌａｍｅ  ｒｅｔａｒｄａｎｔ  ｅｐｏｘｙ  ｒｅｓｉｎ  ｂａｓｅｄ  ｏｎ  ｂｉｓ−ｐｈｅｎｏｘｙ（３−ｈｙｄｒｏｘｙ）ｐｈｅｎｙｌ  ｐｈｏｓｐｈｉｎｅ  ｏｘｉｄｅ，"Ｐｏｌｙｍｅｒ  Ｄｅｇｒａｄａｔｉｏｎ  ａｎｄ  Ｓｔａｂｉｌｉｔｙ，ｖｏｌ．９２（２００７），ｐｐ．９５６−９６１．
（非特許文献２）  Ｂｈｕｎｉｙａ  ｅｔ  ａｌ．，"Ｓｙｎｔｈｅｓｉｓ  ａｎｄ  ｃｈａｒａｃｔｅｒｉｚａｔｉｏｎ  ｏｆ  ｐｈｏｓｐｈｏｒｕｓ  ｃｏｎｔａｉｎｉｎｇ  ａｄｈｅｓｉｖｅ  ｐｏｌｙｍｅｒｓ"Ｉｎｄｉａｎ  Ｊｏｕｒｎａｌ  ｏｆ  Ｃｈｅｍｉｃａｌ  Ｔｅｃｈｎｏｌｏｇｙ，ｖｏｌ．９，（２００２），ｐｐ．１０３−１１１．
（非特許文献３）  ＡｄｄＣｏｎ  ’９５：  Ｗｏｒｌｄｗｉｄｅ  Ａｃｔｉｖｉｔｉｅｓ  ａｎｄ  Ｐｏｌｙｍｅｒ  Ｍｏｄｉｆｉｅｒｓ  ｃｏｎｆｅｒｅｎｃｅ，Ｐａｐｅｒ  ３，Ｐａｇｅ  ６，Ａｐｒｉ１  ５−６，（１９９５）
（非特許文献４）  Ａｍｅｒｉｃａｎ  Ｓｏｃｉｅｔｙ  ｆｏｒ  Ｔｅｓｔ  Ｍｅｔｈｏｄｓ，Ｔｅｓｔ  ＡＳＴＭＤ２８６３，（２００６），ｈｔｔｐ：／／ｗｗｗ．ａｓｔｍ．ｏｒｇ／ｃｇｉ−ｂｉｎ／ＳｏｆｔＣａｒｔ．ｅｘｅ／ＤＡＴＡＢＡＳＥ．ＣＡＲＴ／ＲＥＤＬＩＮＥＰＡＧＥＳ／Ｄ２８６３．ＨＴＭ？Ｌ＋ｍｙｓｔｏｒｅ＿ｌｔｇｗ１３３７
（非特許文献５）  ＢＥＣＫＥＲ  ＥＴ  ＡＬ．，Ｐｏｌｙｕｒｅｔｈａｎｅ，Ｐｌａｓｔｉｃｓ  Ｈａｎｄｂｏｏｋ，Ｖｏｌ．７，Ｇｅｒｍａｎｙ，Ｖｉｅｎｎａ，Ｃａｒｌ  Ｈａｎｓｅｒ  Ｐｕｂｌｉｓｈｉｎｇ，（１９８３），（ＴＯＣ）
（非特許文献６）  ＢＩＬＬＭＥＹＥＲ，Ｔｅｘｔｂｏｏｋ  ｏｆ  Ｐｏｌｙｍｅｒ  Ｓｃｉｅｎｃｅ，２ｎｄ  ｅｄ．，Ｗｉｌｅｙ  Ｉｎｔｅｒｓｃｉｅｎｃｅ，Ｎｅｗ  Ｙｏｒｋ，１９７１，ｐｐ．４５−５２
（非特許文献７）  ＣＯＴＴＥＲ  ｅｔ  ａｌ．，Ｅｎｇｉｎｅｅｒｉｎｇ  Ｐｌａｓｔｉｃｓ：  Ａ  Ｈａｎｄｂｏｏｋ  ｏｆ  Ｐｏｌｙａｒｙｌｅｔｈｅｒｓ，Ｓｃｉｅｎｃｅ  Ｐｕｂｌ．Ｓ．Ａ．，Ｓｗｉｔｚｅｒｌａｎｄ  １９９５（ＴＯＣ）
（非特許文献８）  Ｅｎｇｌｉｓｈ  Ａｂｓｔｒａｃｔ  ｆｏｒ  ＤＥ  １０３１７４８７  ｄａｔｅｄ  Ｊａｎｕａｒｙ  ２２，２００４
（非特許文献９）  ＦＡＩＬＬＡ  ｅｔ  ａｌ．，Ｓｙｎｔｈｅｓｉｓ，ｃｈａｒａｃｔｅｒｉｚａｔｉｏｎ，ａｎｄ  ｐｒｏｐｅｒｔｉｅｓ  ｏｆ  ｎｅｗ  ｐｈｏｓｐｈｏｒｏｕｓ−ｃｏｎｔａｉｎｉｎｇ  ｅｐｏｘｙ  ｒｅｓｉｎｓ，Ｐｈｏｓｐｈｏｒｕｓ，Ｓｕｌｆｕｒ，ａｎｄ  Ｓｉｌｉｃｏｎ  ａｎｄ  ｔｈｅ  Ｒｅｌａｔｅｄ  Ｅｌｅｍｅｎｔｓ，（２０１１），１８６：２１８９−２２０１．
（非特許文献１０）  ＧＲＯＧＧＩＮＳ，Ｕｎｉｔｅ  Ｐｒｏｃｅｓｓｅｓ  ｉｎ  Ｏｒｇａｎｉｃ  Ｓｙｎｔｈｅｓｉｓ，４ｔｈ  ｅｄ．，ＭｃＧｒａｗ  Ｈｉｌｌ  Ｂｏｏｋ  Ｃｏ．，１９５２，ｐｐ．６１６−６２０
（非特許文献１１）  ＨＡＧＥＮＡＡＲＳ  ｅｔ  ａｌ．，Ｃｈａｒａｃｔｅｒｉｚａｔｉｏｎ  ｏｆ  Ｍｅｌｔ−Ｐｏｌｙｍｅｒｉｚｅｄ  Ｐｏｌｙｃａｒｂｏｎａｔｅ：  Ｐｒｅｐａｒａｔｉｖｅ  Ｆｒａｃｔｉｏｎａｔｉｏｎ，Ｂｒａｎｃｈｉｎｇ  Ｄｉｓｔｒｉｂｕｔｉｏｎ  ａｎｄ  Ｓｉｍｕｌａｔｉｏｎ，Ｐｏｌｙｍｅｒ，（２００１），４２：７６５３−７６６
（非特許文献１２）  ＨＥＮＫＥＬ，Ｒｅａｃｔｏｒ  Ｔｙｐｅｓ  ａｎｄ  Ｔｈｅｉｒ  Ｉｎｄｕｓｔｒｉａｌ  Ａｐｐｌｉｃａｔｉｏｎｓ，Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，３１：２９３−３２７（ｐｕｂｌｉｓｈｅｄ  ｏｎｌｉｎｅ  ２０１２），Ｗｉｌｅｙ−ＶＣＨ  Ｖｅｒｌａｇ  ＧｍｂＨ  Ｃｏ．，ＫＧａＡ，Ｗｅｉｎｈｅｉｍ（ＴＯＣ）
（非特許文献１３）  Ｉｎｔｅｒｎａｔｉｏｎａｌ  Ｓｅａｒｃｈ  Ｒｅｐｏｒｔ  ｆｏｒ  ＰＣＴ／ＵＳ２０１１／０５２００５  ｄａｔｅｄ  Ａｐｒｉｌ  ２７，２０１２．
（非特許文献１４）  Ｉｎｔｅｒｎａｔｉｏｎａｌ  Ｓｅａｒｃｈ  Ｒｅｐｏｒｔ  ｆｏｒ  ＰＣＴ／ＵＳ２０１１／０６０４２８  ｄａｔｅｄ  Ｍａｙ  ２１，２０１２．
（非特許文献１５）  Ｉｎｔｅｒｎａｔｉｏｎａｌ  Ｓｅａｒｃｈ  Ｒｅｐｏｒｔ  ｆｏｒ  ＰＣＴ／ＵＳ２０１１／０６１０１５  ｄａｔｅｄ  Ｊｕｎｅ  ２９，２０１２．
（非特許文献１６）  Ｉｎｔｅｒｎａｔｉｏｎａｌ  Ｓｅａｒｃｈ  Ｒｅｐｏｒｔ  ｆｏｒ  ＰＣＴ／ＵＳ２０１１／０６６８８１  ｄａｔｅｄ  Ａｕｇｕｓｔ  ２２，２０１２．
（非特許文献１７）  Ｉｎｔｅｒｎａｔｉｏｎａｌ  Ｓｅａｒｃｈ  Ｒｅｐｏｒｔ  ｆｏｒ  ＰＣＴ／ＵＳ２０１１／０６６８２８  ｄａｔｅｄ  Ａｕｇｕｓｔ  ２７，２０１２．
（非特許文献１８）  Ｉｎｔｅｒｎａｔｉｏｎａｌ  Ｓｅａｒｃｈ  Ｒｅｐｏｒｔ  ｆｏｒ  ＰＣＴ／ＵＳ２０１２／０５１５８７  ｄａｔｅｄ  Ｆｅｂｒｕａｒｙ  ２６，２０１３．
（非特許文献１９）  Ｉｎｔｅｒｎａｔｉｏｎａｌ  Ｓｅａｒｃｈ  Ｒｅｐｏｒｔ  ｆｏｒ  ＰＣＴ／ＵＳ２０１２／０６４６６４  ｄａｔｅｄ  Ｍａｒｃｈ  ２７，２０１３．
（非特許文献２０）  Ｉｎｔｅｒｎａｔｉｏｎａｌ  Ｓｅａｒｃｈ  Ｒｅｐｏｒｔ  ｆｏｒ  ＰＣＴ／ＵＳ２０１３／０４８８９２  ｄａｔｅｄ  Ｏｃｔｏｂｅｒ  １１，２０１３．
（非特許文献２１）  Ｉｎｔｅｒｎａｔｉｏｎａｌ  Ｓｅａｒｃｈ  Ｒｅｐｏｒｔ  ｆｏｒ  ＰＣＴ／ＵＳ２０１４／０１２４９７  ｄａｔｅｄ  Ｍａｙ  ２８，２０１４．
（非特許文献２２）  ＬＥＧＲＡＮＤ  ｅｔ  ａｌ．，ｅｄｓ．，Ｈａｎｄｂｏｏｋ  ｏｆ  Ｐｏｌｙｃａｒｂｏｎａｔｅｓ，Ｍａｒｃｅｌ  Ｄｅｋｋｅｒ，Ｉｎｃ．，Ｎｅｗ  Ｙｏｒｋ，（２０００）ＴＯＣ
（非特許文献２３）  ＬＥＶＣＨＩＫ  ｅｔ  ａｌ．，Ｏｖｅｒｖｉｅｗ  ｏｆ  Ｒｅｃｅｎｔ  Ｄｅｖｅｌｏｐｍｅｎｔｓ  ｉｎ  ｔｈｅ  Ｆｌａｍｅ  Ｒｅｔａｒｄａｎｃｙ  ｏｆ  Ｐｏｌｙｃａｒｂｏｎａｔｅｓ，Ｐｏｌｙｍｅｒ  Ｉｎｔｅｒｎａｔｉｏｎａｌ，（２００５），５４（７）：９８１−９９８
（非特許文献２４）  ＬＥＶＣＨＩＫ  ｅｔ  ａｌ．，Ａ  Ｒｅｖｉｅｗ  ｏｆ  Ｒｅｃｅｎｔ  Ｐｒｏｇｒｅｓｓ  ｉｎ  Ｐｈｏｓｐｈｏｒｕｓ−ｂａｓｅｄ  Ｆｌａｍｅ  Ｒｅｔａｒｄａｎｔｓ，Ｊｏｕｒｎａｌ  ｏｆ  Ｆｉｒｅ  Ｓｃｉｅｎｃｅｓ，（Ｓｅｐｔｅｍｂｅｒ  １，２００６），２４（５）：３４５−３６４
（非特許文献２５）  Ｌｅｘａｎ  ＥＸＬ  Ｒｅｓｉｎ  Ｄａｔａ  Ｓｈｅｅｔ，Ｓａｂｉｃ  Ｉｎｎｏｖａｔｉｖｅ  Ｐｌａｓｔｉｃｓ（２００７）
（非特許文献２６）  ＬＩＰＩＮＧ  ｅｔ  ａｌ．，Ｏｒｇａｎｉｃ  Ｐｈｏｓｐｈｏｒｕｓ  Ｐｏｌｙｍｅｒｉｃ  Ｆｌａｍｅ  Ｒｅｔａｒｄａｎｔｓ，Ｃｈｅｍｉｓｔｒｙ，（２００３），６６（１１）：  １−６（Ｍａｃｈｉｎｅ  ｔｒａｎｓｌａｔｅｄ  ｄｏｃｕｍｅｎｔ）
（非特許文献２７）  ＭＯＲＧＡＮ，Ｃｏｎｄｅｎｓａｔｉｏｎ  Ｐｏｌｙｍｅｒｓ，Ｗｉｌｅｙ  Ｉｎｔｅｒｓｃｉｅｎｃｅ，Ｎｅｗ  Ｙｏｒｋ，（１９６５）：２１  ７−２２３．
（非特許文献２８）  Ｏｆｆｉｃｅ  Ａｃｔｉｏｎ  ｄａｔｅｄ  Ｓｅｐｔｅｍｂｅｒ  ４，２０１２  ｉｓｓｕｅｄ  ｉｎ  ＪＰ  ２０１０−５１７１２７−ｕｎｔｒａｎｓｌａｔｅｄ
（非特許文献２９）  Ｐｏｌｙｍｅｒｉｃ  Ｍａｔｅｒｉａｌｓ  Ｅｎｃｙｃｌｏｐｅｄｉａ，Ｖｏｌ．１，Ｅｄｉｔｏｒ−ｉｎ−Ｃｈｉｅｆ  Ｊｏｓｅｐｈ  Ｃ．Ｓａｌａｍｏｎｅ，ｐｐ．３１６−３２０  ｂｙ  ＣＲＣ  Ｐｒｅｓｓ，１９９６
（非特許文献３０）  ＲＡＫＯＴＯＭＡＬＡ  ｅｔ  ａｌ．，Ｒｅｃｅｎｔ  Ｄｅｖｅｌｏｐｍｅｎｔｓ  ｉｎ  Ｈａｌｏｇｅｎ  Ｆｒｅｅ  Ｒｅｔａｒｄａｎｔｓ  ｆｏｒ  Ｅｐｏｘｙ  Ｒｅｓｉｎｓ  ｆｏｒ  Ｅｌｅｃｔｒｉｃａｌ  ａｎｄ  Ｅｌｅｃｔｒｏｎｉｃ  Ａｐｐｌｉｃａｔｉｏｎｓ，Ｍａｔｅｒｉａｌｓ，（Ａｕｇｕｓｔ  １１，  ２０１０），  ３：４３００−４３２７
（非特許文献３１）  ＳＣＨＮＥＬＬ，Ｃｈｅｍｉｓｔｒｙ  ａｎｄ  Ｐｈｙｓｉｃｓ  ｏｆ  Ｐｏｌｙｃａｒｂｏｎｅｓ，Ｐｏｌｙｍｅｒ  Ｒｅｖｉｅｗ，Ｂｄ．９，ｐｐ．５０−５ｌ，Ｉｎｔｅｒｓｃｉｅｎｃｅ  Ｐｕｂｌｉｓｈｅｒｓ：  Ｎｅｗ  Ｙｏｒｋ，１９６４
（非特許文献３２）  ＳＣＨＭＩＤＴ  ｅｔ  ａｌ．，Ａｒｏｍａｔｉｓｃｈｅ  Ｐｏｌｙｐｈｏｓｐｈｏｎａｔｅ：  Ｔｈｅｒｍｏｐｌａｓｔｉｓｃｈｅ  Ｐｏｌｙｍｅｒｅ  ｖｏｎ  ｅｘｔｒｅｍｅｒ  Ｂａｎｄｗｉｄｉｇｅｉｔ，（１９８５），Ｄｉｅ  Ａｎｇｅｗａｎｄｔｅ  Ｍａｋｒｏｍｏｌｅｋｕｌａｔｅ  Ｃｈｅｍｉｅ，１３２（２１６５）：１−１８
（非特許文献３３）  Ｓｕｐｐｌｅｍｅｎｔａｌ  Ｅｕｒｏｐｅａｎ  Ｓｅａｒｃｈ  Ｒｅｐｏｒｔ  ｆｏｒ  ＥＰ１１８３９５７９  ｄａｔｅｄ  Ｊａｎｕａｒｙ  ３１，２０１４．
（非特許文献３４）  Ｓｕｐｐｌｅｍｅｎｔａｌ  Ｅｕｒｏｐｅａｎ  Ｓｅａｒｃｈ  Ｒｅｐｏｒｔ  ｆｏｒ  ＥＰ１１８５１３９３  ｄａｔｅｄ  Ｆｅｂｒｕａｒｙ  ２８，２０１４．
（非特許文献３５）  Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，Ｅｄ．Ｂａｒａｒａ  Ｅｌｖｅｒｓ，Ｖｏｌ  Ａ２ｌ，Ｃｈａｐｔｅｒ  Ｐｏｌｙｅｓｔｅｒｓ，ｐｐ  ２２７−２５１，（１９９２），ＶＣＨ，Ｗｅｉｎｈｅｉｍ−Ｂａｓｅｌ−Ｃａｍｂｒｉｄｇｅ−Ｎｅｗ  Ｙｏｒｋ
（非特許文献３６）  ＷＩＬＫＩＥ  ｅｔ  ａｌ．，Ｆｕｎｄａｍｅｎｔａｌｓ  ｏｆ  Ｆｉｒｅ  Ｔｅｓｔｉｎｇ  ａｎｄ  Ｗｈａｔ  Ｔｅｓｔｓ  Ｍｅａｓｕｒｅ，Ｆｉｒｅ  Ｒｅｔａｒｄａｎｃｙ  ｏｆ  Ｐｏｌｙｍｅｒｉｃ  Ｍａｔｅｒｉａｌｓ，Ｃｈ．１４，ＣＲＣ  Ｐｒｅｓｓ，Ｂｏｃａ  Ｒａｔｏｎ，ＦＬ，２ｎｄ  Ｅｄ．，（２０１０）（ＴＯＣ）